(57)【要約】【課題】どのように移動し顧客がどのタイミングで商品を購入したかを示す動線を把握するための情報検出を確実に行う。【解決手段】商品を入れる籠１１と、陳列された近傍の商品や籠１１に入れられた商品に添付された無線ＩＤタグから商品コード等の情報を無指向性の送受信アンテナ１４を使用して一定時間間隔で読取る第２の無線通信部、籠に入れられた商品の無線ＩＤタグに連番データを、指向性を持つ平面アンテナ１３を使用して書込む第１の無線通信部、時間をカウントする時計部、第２の無線通信部が陳列された近傍の商品に添付された無線ＩＤタグから読取った商品コードや籠１１に入れられた商品に添付された無線ＩＤタグから読取った商品コード及び連番データを時計部がカウントした現在の時間情報とともに順次格納するデータメモリを備え、籠１１に取付けられた端末装置１２とからなる。【選択図】      図２
2005165819.tif 000002
【特許請求の範囲】
【請求項１】
商品を入れる商品収納手段と、陳列された近傍の商品や前記商品収納手段に入れられた商品などに添付された無線ＩＤタグから商品コード等の情報を一定時間間隔で読取る情報読取り手段、前記商品収納手段に入れられた商品の無線ＩＤタグに商品識別情報を書込む情報書込み手段、時間をカウントする計時手段、無線ＩＤタグから前記情報読取り手段が読取った、商品コードや前記情報書込み手段によって書込まれた商品識別情報を前記計時手段がカウントした現在の時間情報とともに順次格納するメモリを備え、前記商品収納手段に取付けられた端末装置とからなることを特徴とする動線検出装置。
【請求項２】
請求項１記載の動線検出装置と、商品コードに対応して店舗内のどの位置に商品が陳列されているかの情報を記憶したデータベースを備え、前記動線検出装置における端末装置のメモリに格納された全ての情報を取込み、商品コード、時間情報及び前記データベースの情報に基づいて前記動線検出装置の動線を解析し、その解析結果を出力する解析手段とを備えたことを特徴とする動線把握システム。
【請求項３】
解析手段は、さらに、商品コード、時間情報及びデータベースの情報に基づいて店舗内のそれぞれの位置での運搬手段の滞留時間を解析することを特徴とする請求項２記載の動線把握システム。
【請求項４】
解析手段は、さらに、商品コード、商品識別情報、時間情報及びデータベースの情報に基づいて動線検出装置の動線とともに顧客の商品購入行動を関連付けて解析することを特徴とする請求項２記載の動線把握システム。
【発明の詳細な説明】
【技術分野】
【０００１】
本発明は、スーパマーケットやコンビニエンスストア等の量販店などの店舗において顧客の商品購入行動の動線を検出する動線検出装置及びこの動線検出装置を使用した動線把握システムに関する。
【背景技術】
【０００２】
スーパマーケットやコンビニエンスストア等の量販店においては、顧客は店舗内に備え付けられた買物籠や買物籠を備えたカートを運搬しながら売場を自由に歩き回って購入する商品を買物籠に入れ、最終的にキャッシュレジスタ機能を持ったＰＯＳ端末が設置してある精算場所に行って支払いを行うという一連の行動を取るようになっている。このような量販店では、顧客がどのような移動を行ってどのような商品を購入するのか動線と商品を関連付けて把握することが商品陳列棚のレイアウトや商品の配置を考えるうえで大切である。
【０００３】
従来、このような動線を把握するシステムとして、固有の位置識別データを記憶したＩＤタグを商品陳列棚に多数配置し、一方、商品を入れる買物籠を備えたカートにＩＤタグから発せられた位置識別データをその受信時刻とともに蓄積するデータ蓄積装置を搭載し、顧客がカートを運搬して売場を移動するときに、データ蓄積装置がＩＤタグに対して呼出しを行い、所定領域内に入ったＩＤタグからデータを受信して順次蓄積し、精算時にデータを解析用のコンピュータに送信し、コンピュータで動線を解析して把握するものが知られている（例えば、特許文献１参照）。
【特許文献１】特開２０００−３５７１７７公報
【発明の開示】
【発明が解決しようとする課題】
【０００４】
しかしながら、特許文献１記載のものでは、カートが同じ場所を２回以上通過して商品を購入した場合には、その商品を何回目に通過したときに購入したのか把握することができなかった。また、カートを置いて商品のみを取りに行ったときにはその商品とカートの位置との対応が取れなかった。このため、動線の把握に支障を来す問題があった。
【０００５】
そこで、本発明は、同じ場所を２回以上通過することがあっても商品を購入したタイミングを確実に検出することができ、どのように移動し顧客がどのタイミングで商品を購入したかを示す動線を把握するための情報検出が確実にできる動線検出装置を提供する。
【０００６】
また、本発明は、動線検出装置が同じ場所を２回以上通過することがあっても商品を購入したタイミングを確実に検出することができ、また、動線検出装置を置いて商品のみを取りに行っても動線検出装置の位置と商品位置との関係を把握することができ、動線検出装置がどのように移動し顧客がどのタイミングで商品を購入したかを示す動線を確実に把握できる動線把握システムを提供する。
【課題を解決するための手段】
【０００７】
本発明は、商品を入れる商品収納手段と、陳列された近傍の商品や商品収納手段に入れられた商品などに添付された無線ＩＤタグから商品コード等の情報を一定時間間隔で読取る情報読取り手段、商品収納手段に入れられた商品の無線ＩＤタグに商品識別情報を書込む情報書込み手段、時間をカウントする計時手段、無線ＩＤタグから情報読取り手段が読取った、商品コードや情報書込み手段によって書込まれた商品識別情報を計時手段がカウントした現在の時間情報とともに順次格納するメモリを備え、商品収納手段に取付けられた端末装置とからなる動線検出装置にある。
【０００８】
また、本発明は、上記の動線検出装置と、商品コードに対応して店舗内のどの位置に商品が陳列されているかの情報を記憶したデータベースを備え、動線検出装置から端末装置のメモリに格納されて全ての情報を取込み、商品コード、時間情報及びデータベースの情報に基づいて商品収納手段の動線を解析し、その解析結果を出力する解析手段とを備えた動線把握システムにある。
【発明の効果】
【０００９】
本発明によれば、同じ場所を２回以上通過することがあっても商品を購入したタイミングを確実に検出することができ、どのように移動し顧客がどのタイミングで商品を購入したかを示す動線を把握するための情報検出が確実にできる動線検出装置を提供できる。
【００１０】
また、本発明によれば、動線検出装置が同じ場所を２回以上通過することがあっても商品を購入したタイミングを確実に検出することができ、また、動線検出装置を置いて商品のみを取りに行っても動線検出装置の位置と商品位置との関係を把握することができ、動線検出装置がどのように移動し顧客がどのタイミングで商品を購入したかを示す動線を確実に把握できる動線把握システムを提供できる。
【発明を実施するための最良の形態】
【００１１】
以下、本発明の実施の形態を、図面を参照して説明する。  
図１は店舗のレイアウトを示す図で、右手手前に入口１を配置し、左手手前に出口２を配置している。そして、店舗内には図中斜線で示すように多数の商品陳列棚３を配置し、この各商品陳列棚３に各種の商品が陳列されている。また、入口１と出口２とに挟まれる手前側空間には、それぞれＰＯＳ端末４を配置した複数の精算所５を配置し、その精算所５の後方に当たる壁側にはＰＯＳ端末４による登録を終えた商品を籠から袋などに移す作業に使用する作業台６を配置している。
【００１２】
図２は動線検出装置１０の構成を示す斜視図で、この装置１０は、購入する商品を入れる商品収納手段としての籠１１とこの籠１１の側面に取付けられた端末装置１２とで構成されている。前記端末装置１２は、書込みを行うための送信アンテナとして例えば指向性を有する平面アンテナ１３を内蔵し、その指向性の方向を前記籠１１内に向けて配置している。また、例えば無指向性のホイップアンテナからなる送受信アンテナ１４を外部に取付けている。前記動線検出装置１０はカートに取付けられ、買物する顧客によって手押しされて移動するようになっている。
【００１３】
図３は前記端末装置１２の構成を示すブロック図で、前記端末装置１２は、制御部本体を構成するＣＰＵ（中央処理装置）１５、このＣＰＵ１５が各部を制御するためのプログラムデータを格納したＲＯＭ（リード・オンリー・メモリ）１６、データを格納するためのデータメモリ１７、時間を計時する時計部１８、前記平面アンテナ１３を介して前記籠１１内に収納された商品に付された無線ＩＤタグと無線通信を行う第１の無線通信部１９、前記送受信アンテナ１４を介して周囲にある商品に付された無線ＩＤタグと無線通信を行う第２の無線通信部２０とで構成されている。そして、前記ＣＰＵ１５、ＲＯＭ１６、データメモリ１７、時計部１８、第１、第２の無線通信部１９，２０は互いにバスライン２１によって電気的に接続されている。なお、前記第２の無線通信部２０は前記送受信アンテナ１４を介して外部へデータを送信する機能も備えている。
【００１４】
前記各商品陳列棚３には、それぞれ決められた商品が陳列されている。例えば、１つの商品陳列棚３には、図４に示すように、商品コードがＡ１００〜Ａ１０４、Ａ２００〜Ａ２０４、Ａ３００〜Ａ３０４という決められた商品２５が陳列されている。そして、各商品２５にはそれぞれ対応する商品コードをＩＤとして記録した無線ＩＤタグ２６を貼り付けている。
【００１５】
前記第１の無線通信部１９は平面アンテナ１３を介して籠１１内の狭い範囲に電波を出し続け、籠１１内に新たに収納される商品２５の無線ＩＤタグ２６に商品識別情報を追記情報として書き込むようになっている。商品識別情報としては、例えば、籠１１に入れられた順番も兼ねた連番データを使用している。
【００１６】
図５は店舗内に構築されたシステムの構成を示すブロック図で、３１は店全体における各商品や商品分類別などの売上データを管理する管理手段３１ａ、前記動線検出装置１０の店舗内での移動軌跡や滞留時間等を解析する解析手段３１ｂ、店舗内のどの位置にどの商品が陳列されているかを示す商品コードと店舗内位置とを対応づけて記憶したデータベース３１ｃ、前記解析手段３１ｂによる解析結果をディスプレイ３５にグラフィック表示させる出力手段３１ｄ等を有するホストコンピュータである。
【００１７】
前記ホストコンピュータ３１にＬＡＮ３２を介して前記各ＰＯＳ端末４を接続している。そして、前記各ＰＯＳ端末４に前記動線検出装置１０における端末装置１２の第２の無線通信部２０と受信アンテナ３３を介して通信を行う無線部３４を取付け、この無線部３４が前記端末装置１２からデータを受信すると、そのデータを、前記ＰＯＳ端末４、ＬＡＮ３２を経由して前記ホストコンピュータ３１に送信するようになっている。
【００１８】
前記動線検出装置１０はカートに載せられ、顧客の手押しによって店舗内を移動する。そして、顧客が購入したい商品２５を陳列した商品陳列棚３の位置にくると商品２５を棚３から取って籠１１に入れるという行動を取る。この行動において、前記端末装置１２は、第２の無線通信部２０から送受信アンテナ１４を介して一定時間、例えば５秒毎に電波を放射し、周囲にある商品２５に貼り付けられた無線ＩＤタグ２６から商品コードを読み込み、前記データメモリ１７に、図６に示すように、読取った商品コードとそのときの時計部１８が計時した現在の時間情報を順次記憶するようになっている。
【００１９】
なお、この場合の送受信アンテナ１４による受信範囲は、商品陳列棚３に陳列されている商品２５のうち、動線検出装置１０に最も近い位置にある商品に貼り付けられている無線ＩＤタグ２６から商品コードを読み込む程度の範囲で、たとえば、半径が５０ｃｍから１００ｃｍ程度の範囲である。
【００２０】
図６に示すデータメモリ１７の記憶情報は、動線検出装置１０がある商品陳列棚３の前、例えば、図４に示す商品陳列棚３の前に位置している状態で無線ＩＤタグ２６から商品コードを読取って記憶した場合を示している。すなわち、１４時５分１０秒に動線検出装置１０が商品Ａ２００の前に位置してその商品Ａ２００の無線ＩＤタグ２６から商品コードＡ２００を読取り、その後動線検出装置１０が矢印で示す方向に若干移動したため１４時５分１５秒に商品Ａ３０１の無線ＩＤタグ２６から商品コードＡ３０１を読取るとともに商品Ａ２０１の無線ＩＤタグ２６から商品コードＡ２０１を読取り、その後その位置で停止したため１４時５分２０秒においても商品Ａ３０１、Ａ２０１の無線ＩＤタグ２６から商品コードＡ３０１、Ａ２０１を繰り返し読取ってそれぞれ記憶したことを示している。
【００２１】
また、顧客は商品陳列棚３に購入したい商品２５があれば取って籠１１に入れる。商品２５を籠１１に入れると、第１の無線通信部１９が平面アンテナ１３を介してその商品２５の無線ＩＤタグ２６に追記情報として連番データを書き込む。この連番データの最初は「１」であり、以降、商品２５が収納される毎に「２」、「３」、…のように連続的に変化するようになっている。
【００２２】
図７に示すデータメモリ１７の記憶情報は、動線検出装置１０が図４に示す商品陳列棚３の前に位置している状態で商品の購入動作を行ったときに無線ＩＤタグ２６からの商品コードを読取って記憶した場合を示している。すなわち、１４時５分１０秒に動線検出装置１０が商品Ａ２００の前に位置してその商品Ａ２００の無線ＩＤタグ２６から商品コードＡ２００を読取り、その後動線検出装置１０が矢印で示す方向に若干移動したため１４時５分１５秒に商品Ａ３０１の無線ＩＤタグ２６から商品コードＡ３０１を読取るとともに商品Ａ２０１の無線ＩＤタグ２６から商品コードＡ２０１を読取る。この状態で顧客は商品Ａ３０１と商品２０１を購入するために商品陳列棚３からそれらの商品を取って籠１１に入れる。例えば、商品Ａ３０１を籠１１に先に入れ、続いて商品２０１を籠１１に入れると、先ず、商品Ａ３０１の無線ＩＤタグ２６に連番データ「１」が書込まれ、続いて、商品Ａ２０１の無線ＩＤタグ２６に連番データ「２」が書込まれる。そして、動線検出装置１０が矢印で示す方向にさらに若干移動したとすると、５秒後の１４時５分２０秒には、商品陳列棚３にある商品Ａ２０２の無線ＩＤタグ２６から商品コードＡ２０２が読取られて記憶されるとともに、籠１１内にある商品Ａ３０１、Ａ２０１の無線ＩＤタグ２６から商品コードＡ３０１、Ａ２０１及び追記情報「１」、「２」が順次読取られて記憶される。
【００２３】
その後、この位置で動線検出装置１０の移動が停止したため、５秒後の１４時５分２５秒には前回と同様の読取りが繰り返される。すなわち、商品陳列棚３にある商品Ａ２０２の無線ＩＤタグ２６から商品コードＡ２０２が読取られて記憶されるとともに、籠１１内にある商品Ａ３０１、Ａ２０１の無線ＩＤタグ２６から商品コードＡ３０１、Ａ２０１及び追記情報「１」、「２」が順次読取られて記憶される。
【００２４】
このように、籠１１に入れられた商品２５の無線ＩＤタグ２６には連番データが書込まれるが、この無線ＩＤタグ２６の商品コードと連番データは第２の無線通信部２１によって５秒毎に読取られるようになる。
【００２５】
顧客は店舗内をカートとともに移動し、途中で購入したい商品を籠１１に入れ、最終的に精算所５に行ってＰＯＳ端末４により商品登録と精算を行う。このとき、データメモリ１７に記憶されている情報が第２の無線通信部２１によって送受信アンテナ１４から無線部３４の受信アンテナ３３に送信される。前記無線部３４は受信したデータをＰＯＳ端末４、ＬＡＮ３２を経由してホストコンピュータ３１に送信する。
【００２６】
店舗の各商品陳列棚前の顧客が通過する位置には、図９に示すように、それぞれ店舗内位置Ａ，Ｂ，Ｃ，Ｄ，〜Ｖ，Ｗ，Ｘが設定されている。そして、前記ホストコンピュータ３１のデータベース３１ｃは、図８に示すように、各商品陳列棚３に陳列されている商品の商品コードと店舗内位置情報を対応づけて記憶している。
【００２７】
従って、前記ホストコンピュータ３１の解析手段３１ｂは、動線検出装置１０の端末装置１２から、データメモリ１７に記憶した商品コード、時間情報、追記情報を取り込むことで、動線検出装置１０がどのように移動し、どのタイミングで顧客が商品の購入行動を取ったかを詳細にかつ容易に把握することができる。例えば、データメモリ１７に図７に示すようなデータが記憶されていれば、この顧客は、店舗内位置Ａにある商品陳列棚３の前を１４時５分頃に通過し、その通過中に商品Ａ３０１とＡ２０１を購入したことが把握できる。
【００２８】
また、動線検出装置１０が同じ場所を複数回通過した場合でも商品を商品陳列棚３から取って籠１１に入れない限りは追記情報の書込みが行われないので、商品コード及び時間情報とともに追記情報が記憶されているか否かを確認することで、何回目の通過時に商品を購入したのか、そのタイミングを確実に検出することができる。
【００２９】
また、解析手段３１ｂは動線検出装置１０がどの位置にどの位滞留したかを解析し、図１０に示すような滞留時間ファイル３１ｅとしてまとめ、その結果を内部メモリに記憶する。また、データメモリ１７に記憶されている追記情報である連番データが書込まれたときの商品コードと時間情報をピックアップし、これを連番データの順番に並べて内部メモリに記憶することで図１１に示すような購入動線ファイル３１ｆとしてまとめるができる。  
これにより、顧客毎の店舗内における商品購入の行動パターンを把握することができる。
【００３０】
また、図１１に示す購入動線ファイル３１ｆにおいては追記情報「５」、「１１」に該当する商品コードと時間情報が抜けている。これは、追記情報「５」及び「１１」に該当する商品は一度籠１１に収納したが、その後、その商品を籠１１から取り出して商品陳列棚３に戻したことを示している。
【００３１】
すなわち、この商品は一度籠１１に収納したので、その無線ＩＤタグ２６には連番データが付与される。その後、この商品が籠１１から取り出されるとその無線ＩＤタグ２６の情報は読取られなくなるので、データメモリ１７においてはこの情報が途中から消えることになる。しかし、連番データは一度与えているので、次に収納される商品の無線ＩＤタグ２６に書込まれる連番データは１つインクリメントされることになる。
【００３２】
なお、商品陳列棚３に戻された商品の無線ＩＤタグには連番データが書込まれているが、この連番データについては、例えば、一定時間通信が無く通信による電力供給を受けなければクリアされるようにすればよい。  
このように、購入動線ファイル３１ｆの情報からは戻した商品についても把握することができる。
【００３３】
また、ホストコンピュータ３１に店舗のレイアウト情報を予め設定しておき、このレイアウト情報に、データベース３１ｃの商品コードと店舗内位置情報及び購入動線ファイル３１ｆの情報を組み合わせれば、図１２に示すように店舗のレイアウトに商品購入行動を組み合わせた動線を描くことができ、これをディスプレイ３５に表示することができる。
【００３４】
また、ホストコンピュータ３１に設定された店舗のレイアウト情報と端末装置１２のデータメモリ１７から取得した情報の全てを組み合わせれば、商品の購入行動のみでなく、実際に顧客が動線検出装置１０とともに店舗内を移動した全ての動線を知ることができ、この動線を店舗のレイアウト画面に描くこともできる。
【００３５】
また、顧客が動線検出装置１０をある位置に置いた状態で全く別の場所に買い忘れた商品を取りに入って籠１１に入れた場合は、第２の無線通信部２１が周囲の無線ＩＤタグ２６から読取ってデータメモリ１７に記憶している情報の中に全く別の場所に陳列している商品コードの情報が入り込むことになる。一方、商品コードと店舗内の位置情報はデータベース３１ｃによって対応づけられている。従って、動線検出装置１０をどの位置に置いた状態でどの商品陳列棚３の商品を取りに行ったかを容易に把握できる。これは、１つの動線検出装置１０に対して複数の顧客が様々な商品陳列棚３から商品を取ってその動線検出装置１０の籠１１に入れるような場合についても同様である。
【図面の簡単な説明】
【００３６】
【図１】本発明の実施の形態に係る店舗のレイアウトを示す図。
【図２】同実施の形態における動線検出装置の構成を示す斜視図。
【図３】同実施の形態における端末装置の構成を示すブロック図。
【図４】同実施の形態で使用する商品陳列棚の構成と商品陳列状態を示す斜視図。
【図５】同実施の形態におけるシステム全体の構成を示すブロック図。
【図６】同実施の形態における端末装置のデータメモリのデータ記憶構成を示す図。
【図７】同実施の形態における端末装置のデータメモリへの追記情報の記憶例を示す図。
【図８】同実施の形態におけるホストコンピュータのデータベースのデータ記憶構成を示す図。
【図９】同実施の形態において店舗内に設定された各位置を示す図。
【図１０】同実施の形態のホストコンピュータで作成される滞留時間ファイルのデータ記憶構成を示す図。
【図１１】同実施の形態のホストコンピュータで作成される購入動線ファイルのデータ記憶構成を示す図。
【図１２】同実施の形態のホストコンピュータで作成される店舗のレイアウトに商品購入行動を組み合わせた動線例を示す図。
【符号の説明】
【００３７】
３…商品陳列棚、１０…動線検出装置、１１…籠、１２…端末装置、１３…平面アンテナ、１４…送受信アンテナ、１５…ＣＰＵ、１７…データメモリ、１８…時計部、２５…商品、２６…無線ＩＤタグ、３１ｂ…解析手段、３１ｃ…データベース。
【図１】
2005165819.tif 000003
【図２】
2005165819.tif 000004
【図３】
2005165819.tif 000005
【図４】
2005165819.tif 000006
【図５】
2005165819.tif 000007
【図６】
2005165819.tif 000008
【図７】
2005165819.tif 000009
【図８】
2005165819.tif 000010
【図９】
2005165819.tif 000011
【図１０】
2005165819.tif 000012
【図１１】
2005165819.tif 000013
【図１２】
2005165819.tif 000014